(57)【要約】【課題】  紙幣の誤識別を防止するとともに紙幣詰まりを防止し、かつ構造の簡素化を図る。【解決手段】  紙幣挿入口１０から挿入された紙幣９を矢印Ａ−Ｂ方向へ搬送する第１の紙幣搬送手段１１と、矢印Ａ−Ｂ方向と直交する矢印Ｄ方向へ搬送する第２の紙幣搬送手段１２とを備える。第１の紙幣搬送手段１１によって搬送された紙幣９は、紙幣識別装置２によって真贋が識別され、真札と識別された紙幣は、第２の紙幣搬送手段１２によって紙幣収納部３に収納される。第２の搬送手段１２は、軸線が矢印Ａ−Ｂ方向に延在する搬送ローラ７１と、これに対接するピンチローラ７２とによって構成されている。搬送ローラ７１の周部には、第１の搬送手段１１によって搬送される紙幣９の下端部を案内する溝８０が搬送ローラ７１の軸線方向に延在している。【選択図】  図１
2006273466.tif 000002
【特許請求の範囲】
【請求項１】
紙幣を挿入する紙幣挿入口と、
この紙幣挿入口から挿入された紙幣の真贋を識別する紙幣識別装置と、
この紙幣識別装置まで前記紙幣挿入口から紙幣を搬送する第１の紙幣搬送手段と、
この第１の紙幣搬送手段による搬送方向と直交する方向へ紙幣を搬送する第２の紙幣搬送手段と、
この第２の紙幣搬送手段によって搬送された紙幣を収納する紙幣収納部とを備えた紙幣搬送装置において、
前記第２の紙幣搬送手段を、第１の紙幣搬送手段による搬送方向に軸線が延在する搬送ローラと、この搬送ローラに対接するピンチローラとによって構成し、
前記搬送ローラの周部に、軸線方向に延在し前記第１の紙幣搬送手段によって搬送される紙幣の搬送方向に沿った端部が案内される溝を設けたことを特徴とする紙幣搬送装置。
【請求項２】
請求項１記載の紙幣搬送装置において、
前記搬送ローラが紙幣搬送方向へ回転するときは搬送ローラの回転を許容し、搬送ローラを紙幣搬送方向と反対方向へ回転させることにより、この搬送ローラの回転を規制し搬送ローラを初期位置に位置決めする位置決め手段を設けたことを特徴とする紙幣搬送装置。
【発明の詳細な説明】
【技術分野】
【０００１】
本発明は、自動販売機やパチンコの遊技台用台間機等に設けられる紙幣搬送装置に関するものである。
【背景技術】
【０００２】
従来は、紙幣の長辺側を上下方向とした状態で紙幣を挿入する紙幣挿入口と、この紙幣挿入口から挿入された紙幣の真贋を識別する紙幣識別装置と、この紙幣識別装置の下方に設けられ紙幣識別装置で識別された真札を搬送しこれを収納する紙幣収納部と、この紙幣収納部内に設けられ真札を収納するカセット式金庫とを備えたものがある（例えば、特許文献１参照）。また、搬送ベルトとピンチローラとでカードを左右方向に搬送するとともに、これと直交する下方に搬送方向を切り換えて搬送する搬送装置がある。すなわち、カードを左右方向に搬送する第１の搬送ベルトおよびこの第１の搬送ベルトに接離自在な第１のピンチローラと、カードを下方へ搬送する第２の搬送ベルトおよびこの第２の搬送ベルトに接離自在な第２のピンチローラとを備えたものである。この装置では、第１および第２のピンチローラは揺動自在に支持された切替ブラケットの両端部のそれぞれに枢支され、切替ブラケットを揺動させることにより第１および第２のピンチローラが選択的に第１および第２の駆動ローラに対接する（例えば、特許文献２参照）。
【特許文献１】特開２００４−１９５０３５号公報（段落「００１８」および「００２５」、図２および図３）
【特許文献２】特許第３４２８４６７号公報（段落「００１９」および「００２０」、図３および図４）
【発明の開示】
【発明が解決しようとする課題】
【０００３】
上述した従来技術のうち、前者の装置には紙幣の搬送方向が開示されているだけであって、紙幣を搬送する具体的な構成は何ら開示されていない。一方、後者の装置においては、カード挿入口から挿入されたカードを左右方向に搬送するとともに下方にも搬送するため、カードを左右方向に搬送する搬送路の下側は開放されており、カードの下端を支承するガイドは設けられていない。このため、カードの替わりにカードと比較して剛性が極めて小さい紙幣をこれら搬送ベルトとピンチローラとによって搬送しようとすると、搬送中に紙幣が斜行してしまい、紙幣識別機で紙幣の誤識別が発生したり、紙幣詰まりが発生するという問題があった。また、後者の装置においては、第１のピンチローラによって紙幣を搬送しているときは、第２のピンチローラを第２の駆動ローラから離間させ、第２のピンチローラによって紙幣を搬送するときは第２の駆動ローラに対接させるというように、第２のピンチローラを第２の駆動ローラに対して接離させる構造が必要であるため、構造が複雑になるという問題がある。
【０００４】
本発明は上記した従来の問題に鑑みなされたものであり、その目的とするところは、紙幣の誤識別を防止するとともに紙幣詰まりを防止し、かつ構造の簡素化を図ることにある。
【課題を解決するための手段】
【０００５】
この目的を達成するために、請求項１に係る発明は、紙幣を挿入する紙幣挿入口と、この紙幣挿入口から挿入された紙幣の真贋を識別する紙幣識別装置と、この紙幣識別装置まで前記紙幣挿入口から紙幣を搬送する第１の紙幣搬送手段と、この第１の紙幣搬送手段による搬送方向と直交する方向へ紙幣を搬送する第２の紙幣搬送手段と、この第２の紙幣搬送手段によって搬送された紙幣を収納する紙幣収納部とを備えた紙幣搬送装置において、前記第２の紙幣搬送手段を、第１の紙幣搬送手段による搬送方向に軸線が延在する搬送ローラと、この搬送ローラに対接するピンチローラとによって構成し、前記搬送ローラの周部に、軸線方向に延在し前記第１の紙幣搬送手段によって搬送される紙幣の搬送方向に沿った端部が案内される溝を設けたものである。
【０００６】
請求項２に係る発明は、請求項１に係る発明において、前記搬送ローラが紙幣搬送方向へ回転するときは搬送ローラの回転を許容し、搬送ローラを紙幣搬送方向と反対方向へ回転させることにより、この搬送ローラの回転を規制し搬送ローラを初期位置に位置決めする位置決め手段を設けたものである。
【発明の効果】
【０００７】
本発明によれば、第１の紙幣搬送手段によって紙幣が搬送されるときに、搬送ローラの溝によって紙幣が搬送方向へ案内されるため、搬送中における紙幣の斜行を規制することができるから、紙幣識別装置での紙幣の誤識別や、紙幣詰まりを防止することができる。また、第１の紙幣搬送手段によって紙幣が搬送されるとき、この紙幣の端部が溝に臨んだ状態で搬送されるため、ピンチローラを搬送ローラに対接したままの状態で、第１の紙幣搬送手段によって紙幣を搬送することができる。このため、搬送ローラに対してピンチローラを接離させる構造を必要としないから構造の簡素化および部品点数の削減を図ることができる。
【発明を実施するための最良の形態】
【０００８】
以下、本発明の実施の形態を図に基づいて説明する。図１は本発明に係る紙幣搬送装置における第１ケースの正面図、図２は図１におけるII-II 線断面図、図３は図１における III矢視図、図４は同じく搬送ローラを示し、同図（Ａ）は要部を拡大して示す正面図、同図（Ｂ）は側面図である。図５は本発明に係る紙幣搬送装置における第２ケースの正面図、図６は図５におけるVI-VI 線断面図であって、同図（Ａ）は電磁ソレノイドの非通電状態を示し、同図（Ｂ）は電磁ソレノイドの通電状態を示し、図７は図５におけるVII-VII 線断面図、図８は図５におけるVIII-VIII 線断面図であって、同図（Ａ）はピンチローラが駆動ベルトに対接している状態を示し、同図（Ｂ）はピンチローラが駆動ベルトから離間している状態を示す。図９ないし図１２は図１におけるIX-IX 線断面図であって、図９は搬送ローラが初期位置に停止し搬送ローラの溝によって紙幣を案内している状態を示し、図１０は搬送ローラとピンチローラとによって紙幣の下端部を挟持し搬送を開始した状態を示し、図１１は搬送ローラとピンチローラとによって紙幣を搬送している状態を示し、図１２は搬送ローラとピンチローラとによって紙幣を紙幣収納部へ搬送した状態を示す。
【０００９】
図１に全体を符号１で示す紙幣搬送装置は、紙幣の真贋を識別する紙幣識別装置２と、この紙幣識別装置２の下方（矢印Ｄ方向）に設けられ、紙幣識別装置２で真札と識別された紙幣を収納する紙幣収納部３とによって概ね構成されている。図７において紙幣識別装置２は、第１ケース４と第２ケース５とを備え、互いに対向する第１ケース４の背面板６と第２ケース５の前面板７とによって、矢印Ａ−Ｂ方向に延在する第１の紙幣搬送路８が形成されている。この第１の紙幣搬送路８の矢印Ｂ方向端部には、紙幣９を立てた状態で挿入する紙幣挿入口１０が設けられている。
【００１０】
この紙幣挿入口１０から挿入された紙幣９は、後述する第１の紙幣搬送手段１１によって矢印Ａ方向に搬送され、第１の紙幣搬送路８内に取り込まれることにより、紙幣識別装置２によって紙幣９の真贋が識別される。この紙幣識別装置２によって真札でないと識別された紙幣は、第１の紙幣搬送手段１１によって矢印Ｂ方向へ搬送され、紙幣挿入口１０から返却される。一方、紙幣識別装置２によって真札と識別された紙幣は、後述する第２の紙幣搬送手段１２によって、矢印Ａ−Ｂ方向と直交する方向である矢印Ｄ方向に搬送され紙幣収納部３に収納される。
【００１１】
次に、図１および図９を用いて第１の紙幣搬送路８について説明する。第１の紙幣搬送路８を形成している第１ケース４の背面板６の上下には、第１の紙幣搬送手段１１によって搬送される紙幣９の矢印Ｃ−Ｄ方向の移動を規制して紙幣９を矢印Ａ−Ｂ方向に案内する案内凸条体１３，１４が背面板６と直交する方向に突設されている。これら案内凸条体１３，１４は矢印Ａ−Ｂ方向に延在し、案内凸条体１４側には矢印Ａ−Ｂ方向に長さＷに形成された切欠き１５が設けられており、これら案内凸条体１３，１４間の間隔Ｌは紙幣９の幅ｌよりもわずかに大きく形成されている。
【００１２】
一方の案内凸条体１４の切欠き１５の矢印Ａ−Ｂ方向の両端側には、図９に示すように案内凸条体１４には矢印Ｄ方向へ延在する案内部１６が一体に設けられており、この案内部１６と対向するように第２ケース５の前面板７には案内部１７が一体に設けられている。これら案内部１６，１７によって第１の紙幣搬送路８と紙幣収納部３とを連通する第２の紙幣搬送路１８が形成されている。
【００１３】
次に、図１および図８を用いて、第１の紙幣搬送手段１１について説明する。第１の紙幣搬送手段１１は、正・逆方向に駆動する第１のモータ２０と、この第１のモータ２０によって回転駆動する駆動ローラ２１と、この駆動ローラ２１に追従して回転する第１の従動ローラ２２および第２の従動ローラ２３と、駆動ローラ２１と第１の従動ローラ２２との間に張架された無端状の駆動ベルト２４と、第１の従動ローラ２２および第２の従動ローラ２３ならびに駆動ローラ２１に対向する第１のピンチローラ２５および第２のピンチローラ２６ならびに第３のピンチローラ２７とによって概ね構成されている。
【００１４】
第１のモータ２０の出力軸に軸着されたウォーム３０には、図１に示すようにウォームホイール３１が噛合しており、このウォームホイール３１が軸着された駆動軸３２は矢印Ｄ方向に延在し、この駆動軸３２に一対の駆動ローラ２１，２１が軸着されている。駆動ベルト２４は、第１ケース４の背面板６に矢印Ａ−Ｂ方向に延在する一対の窓３３，３３から紙幣搬送路６に臨んでおり、一対の第２の従動ローラ２３はこの駆動ベルト２４に添接されている。第１ないし第３のピンチローラ２５〜２７は、第２ケース５側に回転自在に支持されており、このうち第２および第３のピンチローラ２６，２７は、後述する離間手段４０によって駆動ベルト２４に対して接離自在に支持されている。これら第１ないし第３のピンチローラ２５〜２７は、第２ケース５の前面板７に設けた窓３５から第１の紙幣搬送路８に臨んでいる。
【００１５】
次に、図５ないし図８を用いて、第２および第３のピンチローラ２６，２７に備えられた離間手段４０およびこの離間手段４０を駆動する駆動装置４１について説明する。離間手段４０は、図８に示すように第２および第３のピンチローラ２６，２７を回転自在に支持するホルダー４３Ａ，４３Ｂと、これらホルダー４３Ａ，４３Ｂを付勢し第２および第３のピンチローラ２６，２７を駆動ベルト２４に対接させる方向に付勢するねじりコイルばね（図示せず）とによって概ね構成されている。
【００１６】
ホルダー４３Ａ，４３Ｂは、図５に示すように第２ケース５の前面板７に互いに対向して立設された一対の支持部４４，４４間に横架された軸４５に中央部が揺動自在に支持されており、互いに対向するように突設された一対の腕部４６，４６と、これら腕部４６，４６と直交する方向に突設された被駆動部４７とが一体に設けられている。ホルダー４３Ａ，４３Ｂの腕部４６，４６間に横架された軸４８，４８の両端部には、第２のピンチローラ２６，２６および第３のピンチローラ２７，２７が回転自在に支持されている。
【００１７】
軸４５に図示を省略したねじりコイルばねが巻回され、ホルダー４３Ａ，４３Ｂは軸４５を回動中心として図８中時計方向に付勢されている。この状態から、後述する第１および第２の揺動レバー５２，５４によって被駆動部４７，４７が、同図（Ｂ）に示すように矢印Ａ方向へ移動させられることにより、ホルダー４３Ａ，４３Ｂがねじりコイルばねの回転モーメントに抗して反時計方向に回動し、第２および第３のピンチローラ２６，２７が駆動ベルト２４から離間する。
【００１８】
駆動装置４１は、図５に示すように、駆動用の電磁ソレノイド５０と、この電磁ソレノイド５０の駆動により揺動する揺動子５１と、この揺動子５１の揺動に連動して揺動する第１の揺動レバー５２と、この第１の揺動レバー５２に連結され矢印Ａ−Ｂ方向に移動する伝達部材５３と、この伝達部材５３を介して第１の揺動レバー５１と一体的に揺動する第２の揺動レバー５４とによって概ね構成されている。
【００１９】
揺動子５１は第２ケース５に取り付けられたブラケット５６に、図６に示すように中央部が軸５７を介して揺動自在に支持されており、下端部に設けたＵ字溝５８に電磁ソレノイド５０のロッド５０ａに植設されたピン５０ｂが係合している。また、下端部にはセンサ６１によって検知される被検知部５９が設けられており、上端部に形成された係合部６０は第２ケース５に設けた窓６２から露呈し、第１の揺動レバー５２の一端側に延設した延設部５２ａに係合している。
【００２０】
第１の揺動レバー５２は、図５に示すように中央部が軸６４Ａを介して第２ケース５の前面板５に揺動自在に支持されており、他端部に上記したホルダー４３Ａの被駆動部４７が臨む係合孔６５Ａが設けられている。第２の揺動レバー５４は、第１の揺動レバー５２と対向するように、中央部が軸６４Ｂを介して第２ケース５の前面板７に揺動自在に支持されており、他端部に上記したホルダー４３Ｂの被駆動部４７が臨む係合孔６５Ｂが設けられている。これら第１および第２の揺動レバー５２，５４は、それぞれの一端部間が矢印Ａ−Ｂ方向に延在する伝達部材５３の両端部に枢着されている。
【００２１】
このような構成において、電磁ソレノイド５０に通電されると、図６（Ｂ）に示すようにロッド５０ａが矢印Ａ方向に後退することにより、ピン５０ｂを介して揺動子５１が軸５７を中心として時計方向に回転するため、第１の揺動レバー５２の延設部５２ａが係合部６０によって矢印Ｂ方向へ移動するとともに、被検知部５９がセンサ６１から外れる。第１の揺動レバー５２の延設部５２ａが矢印Ｂ方向へ移動することにより、第１の揺動レバー５２が軸６４Ａを中心として図５中時計方向に回動する。したがって、第１の揺動レバー５２の他端側に形成した係合孔６５Ａに係合するホルダー４３Ａの被駆動部４７が、図８（Ｂ）に示すように矢印Ａ方向へ移動するので、上述したように第２のピンチローラ２６が駆動ベルト２４から離間する。
【００２２】
第１の揺動レバー５２が軸６４Ａを中心として図５中時計方向に回動することにより、第２の揺動レバー５４が伝達部材５３を介して軸６４Ｂを中心として時計方向に回動する。したがって、第２の揺動レバー５４の他端側に形成した係合孔６５Ｂに係合するホルダー４３Ｂの被駆動部４７が、図８（Ｂ）に示すように矢印Ａ方向へ移動するので、上述したように第３のピンチローラ２７が駆動ベルト２４から離間する。
【００２３】
次に、図１、図３、図４および図９を用いて、第２の紙幣搬送手段１２について説明する。第２の紙幣搬送手段１２は、図１に示すように駆動源として正・逆方向に駆動する第２のモータ７０と、この第２のモータ７０の駆動によって回転する搬送ローラ７１と、この搬送ローラ７１に常時対接するピンチローラ７２とによって概ね構成されている。第２のモータ７０の出力軸には、図３に示すようにモータギヤ７４が軸着され、このモータギヤ７４に噛合する中間ギヤ７５にはタイミング歯付きギヤ７６が一体に設けられている。タイミング歯付きギヤ７６と搬送ローラ７１の端面に一体に設けられたタイミング歯付きギヤ７７との間にはタイミング歯付きベルト７８が張架されており、搬送ローラ７１はモータギヤ７４，中間ギヤ７５およびタイミング歯付きベルト７８を介して第２のモータ７０によって図９中時計・反時計方向に回転する。
【００２４】
搬送ローラ７１の周部には、軸線方向全体に延在し軸線方向の両端が開口した溝８０が設けられており、この溝８０は図４（Ｂ）に示すように頂角が約９０°で断面がＶ字状に形成されており、一方の開口部側には、開口端８１側に向かって末広がり状に形成された案内面として機能する斜面８１ａが設けられている。この搬送ローラ７１は、図１に示すように矢印Ａ−Ｂ方向に軸線が延在し搬送ローラ７１の矢印Ａ−Ｂ方向の寸法が紙幣９の矢印Ａ−Ｂ方向の寸法よりもやや短く形成されているとともに、第１の紙幣搬送手段１１の駆動ローラ２１および第２のピンチローラ２３の矢印Ｄ方向に位置し、かつ溝８０が、図９に示すように側面視において第１ケース４の背面板６の案内凸条体１４の表面と一致するように、第１ケース４の切欠き１５内に回転自在に支持されている。また、搬送ローラ７１の溝８０を除く周面は、ピンチローラ７２との間で紙幣を確実に挟持し搬送するように構成されている。
【００２５】
このように構成されていることにより、カード挿入口１０から挿入された紙幣９の下端線は案内凸条体１４に当接し、この案内凸条体１４に案内されながら第１の紙幣搬送手段１１によって矢印Ａ方向に搬送される。さらに、第１の紙幣搬送手段１１によって矢印Ａ方向に搬送される紙幣９は、下端部９ａが搬送ローラ７１の溝８０の開口端８１から溝８０内に進入し、下端線が溝８０に当接した状態で矢印Ａ方向に搬送される。すなわち、搬送ローラ７１の周部には、軸線方向に延在し第１の紙幣搬送手段１１によって搬送される紙幣９の搬送方向に沿った端線（下端部９ａ）が案内される溝８０が設けられている。
【００２６】
ここで、搬送ローラ７１の溝８０が案内凸条体１４の表面と一致した図９に示す回転位相位置を搬送ローラ７１の初期位置という。ピンチローラ７２は矢印Ａ−Ｂ方向に延在し、側面視において初期位置に位置付けられた搬送ローラ７１の溝８０に対して搬送ローラ７１の紙幣送り方向、すなわち搬送ローラ７１の反時計方向に隣接した部位に位置付けられるように第２ケース５に回転自在に支持されている。
【００２７】
搬送ローラ７１の開口端８０と反対側の端面には、扁平な円柱状に形成された逆回転規制車８５が一体に設けられており、この逆回転規制車８５の周面の一部には断面がへの字状に形成された切欠き８６が設けられている。８７は基端部が第１ケース４に取り付けられた板ばねであって、自由端部が逆回転規制車８５の周面に圧接されており、搬送ローラ７１が紙幣搬送方向（図中反時計方向）へ回転するときは搬送ローラ７１の回転を許容する。一方、搬送ローラ７１が紙幣搬送方向と反対方向（図中時計方向）へ回転することにより、板ばね８７の自由端が逆回転規制車８５の切欠き８６に係合し、搬送ローラ７１の回転を規制する。このとき、搬送ローラ７１が初期位置に位置決めされるように構成されており、これら逆回転規制車８５と板ばね８７とが、搬送ローラ７１を初期位置に位置決めする位置決め手段８８を形成している。
【００２８】
次に、このような構成において、紙幣識別装置２において真札と判定された紙幣９を紙幣収納部３に搬送する動作を説明する。予め、電磁ソレノイド５０には通電されていない状態になっており、ロッド５０ａは図６（Ａ）に示すように前進し、第１の紙幣搬送手段１１の第１ないし第３のピンチローラ２５〜２７が図８（Ａ）に示すように駆動ベルト２４に対接している。また、搬送ローラ７１の溝８０が案内凸条体１４の表面と一致した図９に示す初期位置に位置している。
【００２９】
この状態で、紙幣挿入口１０から紙幣９が挿入され、図示を省略したセンサによって紙幣９が検知されると、第１のモータ２０が正方向に駆動する。したがって、挿入された紙幣９は駆動ベルト２４と第１のピンチローラ２５とによって厚み方向が挟持され、紙幣挿入口１０に挿入された状態の姿勢を保持されたままで矢印Ａ方向に搬送される。このとき、紙幣９の下端が案内凸条体１４に当接し案内凸条体１４に案内されて矢印Ａ方向に搬送される。
【００３０】
さらに、紙幣９が駆動ベルト２４と第１のピンチローラ２５とによって矢印Ａ方向に搬送されることにより、搬送ローラ７１の溝８０が案内凸条体１４の表面と一致した図９に示す初期位置に位置しているため、紙幣９は、下端部９ａが搬送ローラ７１の溝８０の開口端８１から溝８０内に進入し、下端が溝８０に当接した状態で矢印Ａ方向に搬送される。紙幣９の前端が第２のピンチローラ２６に達すると、紙幣９はこの第２のピンチローラ２６および第１のピンチローラ２５と駆動ベルト２４とによって矢印Ａ方向に搬送される。紙幣９の前端が第３のピンチローラ２７に達すると、紙幣９はこの第３のピンチローラ２７および第２のピンチローラ２６ならびに第１のピンチローラ２５と駆動ベルト２４とによって矢印Ａ方向に搬送される。
【００３１】
さらに、紙幣９が矢印Ａ方向に搬送され、紙幣９の後端が第１のピンチローラ２５から外れた状態（図１において符号９Ａで示す位置）を、図示を省略したセンサによって検知されることにより、第１のモータ２０の駆動が停止し、紙幣９の搬送が停止する。この符号９Ａで示す位置は、紙幣識別装置２によって紙幣９の真贋が識別される識別位置であって、この識別位置に位置付けられた紙幣９Ａの矢印Ａ−Ｂ方向の両端のそれぞれは、搬送ローラ７１の両端から矢印Ａ方向の外側または矢印Ｂ方向の外側に位置している。このように、第１の紙幣搬送手段１１によって第１の紙幣搬送路８内を搬送される紙幣９は、搬送ローラ７１の周部に設けた溝８０によって矢印Ａ方向に案内される。このため、第１の紙幣搬送路８中を搬送される紙幣９は斜行が規制されるから、紙幣識別装置２によって誤識別されることなく真贋が識別されるとともに斜行による紙幣詰まりを防止することもできる。
【００３２】
紙幣識別装置２によって紙幣９の真贋が識別され、紙幣９が真札であると識別されると、電磁ソレノイド５０に通電がなされる。電磁ソレノイド５０に通電がなされることにより、揺動子５１を介して第１の揺動レバー５２は軸６４Ａを中心として図５中時計方向に回動するから、ホルダー４３Ａが、図８（Ｂ）に示すように軸４５を中心として反時計方向に回動するため、第２のピンチローラ２６が駆動ベルト２４から離間する。
【００３３】
第１の揺動レバー５２が回動することにより、同時に第２の揺動レバー５４が伝達部材５３を介して軸６４Ｂを中心として時計方向に回動するから、ホルダー４３Ｂが、図８（Ｂ）に示すように軸４５を中心として反時計方向に回動するため、第３のピンチローラ２７が駆動ベルト２４から離間する。このように、１個の電磁ソレノイド５０の駆動によって、伝達部材５３を介して２個のピンチローラ２６，２７を駆動ベルト２４に対して接離させるようにしたものである。したがって、紙幣搬送方向（矢印Ａ−Ｂ方向）に離間した複数個（本実施例では２個）のピンチローラ２６，２７によって、紙幣９を矢印Ａ方向に搬送することができる。このため、紙幣９のように搬送方向（矢印Ａ−Ｂ方向）の寸法が大きく、かつ極めて剛性の小さい搬送物を斜行させずに安定した姿勢によって搬送することができるので、紙幣識別装置２での紙幣９の誤識別や紙幣詰まりを防止することができる。
【００３４】
また、電磁ソレノイド５０に通電されることにより、図６（Ｂ）に示すように、揺動子５１の被検知部５９がセンサ６１から外れ、ピンチローラ２６，２７が駆動ベルト２４から離間したことをセンサ６１によって検知すると、第２のモータ７０が正方向に駆動する。この第２のモータ７０の正方向への駆動により、搬送ローラ７１が図９において反時計方向に回転を開始する。この回転により、搬送ローラ７１の溝８０内に臨んでいる紙幣９Ａの下端部９ａが、搬送ローラ７１の回転に伴い搬送ローラ７１の周部に添接するように折り曲げられ、図１０に示すように、ピンチローラ７２と搬送ローラ７１とのそれぞれの周部に挟持される。したがって、さらに搬送ローラ７１が回転することにより、紙幣９Ａは、図１１に示すように第１の紙幣搬送路８から第２の紙幣搬送路１８内を矢印Ｄ方向に搬送され、図１２に示すように紙幣収納部３に収納される。
【００３５】
このように、第１の紙幣搬送手段１１によって紙幣９が搬送されるとき、この紙幣９の下端部９ａが臨む溝８０を搬送ローラ７１に設けたことにより、ピンチローラ７２を搬送ローラ７１に対接したままの状態で、第１の紙幣搬送手段１１によって紙幣９を搬送することができる。このため、搬送ローラ７１に対してピンチローラ７２を接離させる構造を必要としないから構造の簡素化および部品点数の削減を図ることができる。また、搬送ローラ７１の矢印Ａ−Ｂ方向の寸法が紙幣９の矢印Ａ−Ｂ方向の寸法よりもやや短く形成されていることにより、搬送ローラ７１の軸線方向の寸法が紙幣９の矢印Ａ−Ｂ方向の寸法と略同じ大きさに形成されている。このため、紙幣９はこの搬送ローラ７１とピンチローラ７２とによって、矢印Ａ−Ｂ方向の略全体が挟持されて矢印Ｄ方向へ搬送されるから搬送される紙幣の斜行を規制することができる。
【００３６】
紙幣９Ａが紙幣収納部３に収納されたことを図示を省略したセンサが検知すると、第２のモータ７０を逆方向に駆動する。この駆動により、搬送ローラ７１が紙幣搬送方向と反対方向（図１２中時計方向）へ回転し、搬送ローラ７１が初期状態に位置する直前に第２のモータ７０の駆動を停止し、搬送ローラ７１の回転を停止させる。慣性によって搬送ローラ７１がわずかに回転すると、板ばね８７の自由端が、図９に示すように、逆回転規制車８５の切欠き８６に係合し、搬送ローラ７１の回転を規制し、搬送ローラ７１を初期位置で停止させる。
【００３７】
なお、本実施の形態においては、第１の紙幣搬送手段１１を構成するピンチローラ２６，２７を、第２の紙幣搬送手段１２によって紙幣収納部３へ搬送する際に駆動ベルト２４から離間させるようにしたが、搬送ローラ７１と紙幣との摩擦力を増大させ、ピンチローラ７２とによる紙幣に対する搬送力を大きくすることにより、必ずしもピンチローラ２６，２７を駆動ベルト２４から離間させることなく、搬送ローラ７１によって強制的に紙幣を紙幣収納部３に搬送するようにしてもよい。
【図面の簡単な説明】
【００３８】
【図１】本発明に係る紙幣搬送装置における第１ケースの正面図である。
【図２】図１におけるII-II 線断面図である。
【図３】図１における III矢視図である。
【図４】本発明に係る紙幣搬送装置における搬送ローラを示し、同図（Ａ）は要部を拡大して示す正面図、同図（Ｂ）は側面図である。
【図５】本発明に係る紙幣搬送装置における第２ケースの正面図
【図６】図５におけるVI-VI 線断面図であって、同図（Ａ）は電磁ソレノイドの非通電状態を示し、同図（Ｂ）は電磁ソレノイドの通電状態を示す。
【図７】図５におけるVII-VII 線断面図である。
【図８】図５におけるVIII-VIII 線断面図であって、同図（Ａ）はピンチローラが駆動ベルトに対接している状態を示し、同図（Ｂ）はピンチローラが駆動ベルトから離間している状態を示す。
【図９】図１におけるIX-IX 線断面図であって、搬送ローラが初期位置に停止し搬送ローラの溝によって紙幣を案内している状態を示す。
【図１０】図１におけるIX-IX 線断面図であって、搬送ローラとピンチローラとによって紙幣の下端部を挟持し搬送を開始した状態を示す。
【図１１】図１におけるIX-IX 線断面図であって、搬送ローラとピンチローラとによって紙幣を搬送している状態を示す。
【図１２】図１におけるIX-IX 線断面図であって、搬送ローラとピンチローラとによって紙幣を紙幣収納部へ搬送した状態を示す。
【符号の説明】
【００３９】
１…紙幣搬送装置、２…紙幣識別装置、３…紙幣収納部、８…第１の紙幣搬送路、９…紙幣、９Ａ…真札、１０…紙幣挿入口、１１…第１の紙幣搬送手段、１２…第２の紙幣搬送手段、１８…第２の紙幣搬送路、２０…第１のモータ、２１…駆動ローラ、２４…駆動ベルト、２５，２６，２７，７２…ピンチローラ、４０…離間手段、４１…駆動伝達手段、４３Ａ，４３Ｂ…ホルダー、５０…電磁ソレノイド、５１…揺動子、５２…第１の揺動レバー、５３…伝達部材、５４…第２の揺動レバー、７０…第２のモータ、７１…搬送ローラ、８０…溝。
【図１】
2006273466.tif 000003
【図２】
2006273466.tif 000004
【図３】
2006273466.tif 000005
【図４】
2006273466.tif 000006
【図５】
2006273466.tif 000007
【図６】
2006273466.tif 000008
【図７】
2006273466.tif 000009
【図８】
2006273466.tif 000010
【図９】
2006273466.tif 000011
【図１０】
2006273466.tif 000012
【図１１】
2006273466.tif 000013
【図１２】
2006273466.tif 000014